(57)【要約】【課題】  本発明は、均一な光拡散性を有する光学材料を形成することができるアクリル系樹脂粒子を提供する。【解決手段】  本発明のアクリル系樹脂粒子は、体積基準の累積１０％粒子径を個数基準の累積１０％粒子径で除した値α、体積基準の累積５０％粒子径を個数基準の累積５０％粒子径で除した値γ、及び、体積基準の累積９０％粒子径を個数基準の累積９０％粒子径で除した値ηが所定の関係を満し且つ体積基準の粒子径のＣＶ値が３０〜４０％であると共に、体積基準の累積１０％粒子径を体積基準の累積５０％粒子径で除した値Ａが０．７５以下で且つ体積基準の累積９０％粒子径を体積基準の累積５０％粒子径で除した値Ｂが１．１〜１．６であることを特徴とする。【選択図】  なし【特許請求の範囲】
【請求項１】
体積基準の累積１０％粒子径を個数基準の累積１０％粒子径で除した値α、体積基準の累積５０％粒子径を個数基準の累積５０％粒子径で除した値γ、及び、体積基準の累積９０％粒子径を個数基準の累積９０％粒子径で除した値ηが下記式１を満し且つ体積基準の粒子径のＣＶ値が式２を満たすと共に、体積基準の累積１０％粒子径を体積基準の累積５０％粒子径で除した値Ａが式３を満たし且つ体積基準の累積９０％粒子径を体積基準の累積５０％粒子径で除した値Ｂが式４を満たしていることを特徴とするアクリル系樹脂粒子。
α＞γ＞η  ・・・式１
３０％≦体積基準の粒子径のＣＶ値≦４０％  ・・・式２
Ａ≦０．７５  ・・・式３
１．１≦Ｂ≦１．６  ・・・式４
【請求項２】
体積基準の累積２５％粒子径を個数基準の累積２５％粒子径で除した値β及び体積基準の累積７５％粒子径を個数基準の累積７５％粒子径で除した値δが下記式５を満たすと共に、体積基準の累積２５％粒子径を体積基準の累積５０％粒子径で除した値Ｃが式６を満たし且つ体積基準の累積７５％粒子径を体積基準の累積５０％粒子径で除した値Ｄが式７を満たすことを特徴とする請求項１に記載のアクリル系樹脂粒子。
α＞β＞γ＞δ＞η  ・・・式５
Ｃ≦０．８５  ・・・式６
１．１≦Ｄ≦１．４  ・・・式７
【請求項３】
請求項１又は請求項２に記載のアクリル系樹脂粒子とバインダー樹脂とを含むことを特徴とする塗料組成物。
【請求項４】
基材上に光拡散層が積層一体化されてなる光学材料であって、上記光拡散層は、請求項１又は請求項２に記載のアクリル系樹脂粒子とバインダー樹脂とを含むことを特徴とする光学材料。
【発明の詳細な説明】
【技術分野】
【０００１】
本発明は、アクリル系樹脂粒子、塗料組成物及び光学材料に関する。
【背景技術】
【０００２】
近年、表示装置として液晶表示装置が様々な用途に用いられている。この液晶表示装置は、液晶セルの背面にバックライトユニットが配設される。バックライトユニットは、冷陰極管やＬＥＤなどの発光光源、ランプリフレクタ、導光板、この導光板の前面側に配設される光拡散シート、及び、上記導光板の後面側に配設された光反射板からなる。上記光拡散シートは、発光光源から放射された光を拡散させた上で液晶パネルに入射させる光学フィルムである。
【０００３】
又、電力消費を低減させるために、液晶表示画面の高輝度化も要求されている。液晶表示画面の高輝度化を実現するためには、発光光源からの光を液晶パネルの全面に均一に入射させるように拡散させることが要求される。なお、高輝度化は照明装置のカバーにおいても要求されている。
【０００４】
特許文献１には、高架橋であり、数平均粒子径が０．１〜２０μｍであり、粒子径分布の変動係数（ＣＶ値）が２０％以下であるポリマー粒子と、バインダー成分と、を含む光学材料用組成物が開示されている。
【０００５】
しかしながら、上記光学材料用組成物に含まれているポリマー粒子は、粒子径分布の変動係数（ＣＶ値）が２０％以下に限定されており、粒子径のばらつきが小さいため、光学材料組成物を基材上に塗布して光拡散層を形成すると、ポリマー粒子が整列した状態に配列し、その結果、ポリマー粒子間にかえって隙間が生じ、この隙間を通過した光は拡散されることがないため、光拡散性が不均一になるという問題を生じる。
【先行技術文献】
【特許文献】
【０００６】
【特許文献１】特開２００８−７６６６号公報
【発明の概要】
【発明が解決しようとする課題】
【０００７】
本発明は、均一な光拡散性を有する光学材料を形成することができるアクリル系樹脂粒子並びにこのアクリル系樹脂粒子を用いた塗料組成物及び光学材料を提供する。
【課題を解決するための手段】
【０００８】
本発明のアクリル系樹脂粒子は、体積基準の累積１０％粒子径を個数基準の累積１０％粒子径で除した値α、体積基準の累積５０％粒子径を個数基準の累積５０％粒子径で除した値γ、及び、体積基準の累積９０％粒子径を個数基準の累積９０％粒子径で除した値ηが下記式１を満し且つ体積基準の粒子径のＣＶ値が式２を満たすと共に、体積基準の累積１０％粒子径を体積基準の累積５０％粒子径で除した値Ａが式３を満たし且つ体積基準の累積９０％粒子径を体積基準の累積５０％粒子径で除した値Ｂが式４を満たしていることを特徴とする。
α＞γ＞η  ・・・式１
３０％≦体積基準の粒子径のＣＶ値≦４０％  ・・・式２
Ａ≦０．７５  ・・・式３
１．１≦Ｂ≦１．６  ・・・式４
α＝体積基準の累積１０％粒子径／個数基準の累積１０％粒子径
γ＝体積基準の累積５０％粒子径／個数基準の累積５０％粒子径
η＝体積基準の累積９０％粒子径／個数基準の累積９０％粒子径
Ａ＝体積基準の累積１０％粒子径／体積基準の累積５０％粒子径
Ｂ＝体積基準の累積９０％粒子径／体積基準の累積５０％粒子径
【０００９】
上述のように、αは、体積基準の累積１０％粒子径と、個数基準の累積１０％粒子径で定義される。γは、体積基準の累積５０％粒子径と、個数基準の累積５０％粒子径で定義される。ηは、体積基準の累積９０％粒子径と、個数基準の累積９０％粒子径で定義される。
【００１０】
更に、本発明のアクリル系樹脂粒子は、体積基準の粒子径のＣＶ値が式２を満たしており、体積基準の粒度分布において概ね正規分布を有している。即ち、横軸を体積基準の粒子径とし、縦軸を粒子の数としたグラフを描くと、体積基準の累積５０％粒子径（体積基準の平均粒子径）を中心として略線対称な形状を有し、粒子径が、体積基準の平均粒子径から離れるにしたがって、粒子の数が滑らかな曲線を描きながら（山の裾野のように）徐々に減少している。
【００１１】
従って、本発明のアクリル系樹脂粒子は、任意の粒子径の分散度を見たとき、この粒子径に近い粒子径を有する粒子の分散度は、上記任意の粒子径の分散度と近似した値を採る。よって、αは、体積基準の累積１０％粒子径及びこの近傍の粒子径の領域（極小径領域）における粒子径の分散度を意味している。γは、体積基準の累積５０％粒子径及びこの近傍の粒子径の領域（平均粒子径領域）における粒子径の分散度を意味している。ηは、体積基準の累積９０％粒子径及びこの近傍の粒子径の領域（極大径領域）における粒子径の分散度を意味している。以下、極小径領域の粒子を「極小径の粒子」といい、平均粒子径領域の粒子を「中程度の粒子径の粒子」といい、極大径領域の粒子を「極大径の粒子」という。
【００１２】
本発明のアクリル系樹脂粒子は、α＞γ＞η（式１）を満たしている。式１を満たしていることによって、アクリル系樹脂粒子は、その粒子径が小さくなるほどアクリル系樹脂粒子の粒子径の分散度が高くなるように構成されている。
【００１３】
加えて、アクリル系樹脂粒子は、体積基準の累積１０％粒子径を体積基準の累積５０％粒子径で除した値Ａが０．７５以下に限定され、好ましくは０．７以下であり、極小径の粒子の数が多くなるように構成されている。
【００１４】
アクリル系樹脂粒子は、体積基準の累積１０％粒子径を体積基準の累積５０％粒子径で除した値Ａが０．７５を超えると、極小径の粒子の数が少なくなり、極大径の粒子及び中程度の粒子径の粒子間に形成された隙間を埋めることが難しくなる。
【００１５】
一方、アクリル系樹脂粒子は、体積基準の累積９０％粒子径を体積基準の累積５０％粒子径で除した値Ｂが１．１〜１．６に限定され、好ましくは、１．２〜１．６であり、極大径の粒子の数が少なくなるように構成されている。
【００１６】
アクリル系樹脂粒子において、体積基準の累積９０％粒子径を体積基準の累積５０％粒子径で除した値Ｂが１．１未満となると、極大径の粒子が少なくなりすぎて、中程度の粒子径の粒子の突出が目立つようになって、塗膜を他の材料と接触させた状態で使用した場合に他の材料への傷付き性が増してしまう。
【００１７】
アクリル系樹脂粒子において、体積基準の累積９０％粒子径を体積基準の累積５０％粒子径で除した値Ｂが１．６を超えると、極大径の粒子が多くなりすぎて、極大径の粒子の突出が目立つようになって、得られる塗膜の表面平滑性が低下する。
【００１８】
上述のように、本発明のアクリル系樹脂粒子は、極大径領域において分散度が小さくなるように且つ極大径の粒子の数を少なくなるように構成している。このように、極大径の粒子を存在させつつも、極大径の粒子の数を少なくすることによって、アクリル系樹脂粒子を均一に分散した状態にバインダー樹脂中に存在させることができる。
【００１９】
更に、本発明のアクリル系樹脂粒子を含む塗料組成物から塗膜を形成した場合、極大径の粒子の数を少なくすることによって、塗膜の表面に極大径の粒子が突出するのをできるだけ防止して、塗膜の表面平滑性を向上させることができる。
【００２０】
本発明のアクリル系樹脂粒子は、平均粒径領域の粒子及び極小径領域の粒子の分散度を、極大径領域の粒子の分散度よりも高くしていると共に、極小径領域のアクリル系樹脂粒子の数を多くしている。
【００２１】
第一の理由としては、中程度の粒子径の粒子が、極大径の粒子の分散度よりも高い適度な分散度でもって含有されていることによって、極大径の粒子間に形成された隙間を、中程度の粒子径を有し且つ適度な粒度分布の幅を有する粒子が効果的に埋めることができる。更に、中程度の粒子径の粒子が存在していることによって、本発明のアクリル系樹脂粒子を含む塗料組成物から形成された塗膜が優れた機械的強度を有するからである。
【００２２】
第二の理由としては、極小径領域の粒子の分散度を、中程度の粒子径の粒子及び極大径の粒子の分散度よりも高くすると共に、極小径の粒子の数を多くすることによって、極小径の粒子は、幅広い粒度分布を有し且つ数が多いことから、極大径の粒子及び中程度の粒子径の粒子の間に形成された様々な大きさを有する隙間を効果的に且つ容易に略隙間なく埋めることができる。
【００２３】
即ち、本発明のアクリル系樹脂粒子は、極小径の粒子の分散度を最も高く且つ極小径の粒子の数を多くしている。従って、極小径の粒子が、中程度の粒子径の粒子では埋めることができない隙間に効果的に入り込み、極大径の粒子及び中程度の粒子径の粒子間に形成された隙間を略隙間なく効果的に埋める。
【００２４】
このように、本発明のアクリル系樹脂粒子は、極小径領域、平均粒径領域及び極大径領域のアクリル系樹脂粒子の分散度を式１の関係とし、体積基準の粒子径のＣＶ値を所定範囲とし、極大径領域及び極小径領域の粒子の数を限定することによって、本発明のアクリル系樹脂粒子を含む塗料組成物を用いて塗膜を形成すると、得られる塗膜中には、アクリル系樹脂粒子が凝集することなく且つ略隙間なく略均一に分散された状態で存在している。
【００２５】
本発明のアクリル系樹脂粒子の体積基準の累積５０％粒子径は、本発明のアクリル系樹脂粒子を含む塗料組成物から形成された塗膜の光拡散性が優れていることから、１〜５０μｍが好ましく、２〜２０μｍがより好ましい。
【００２６】
α（体積基準の累積１０％粒子径／個数基準の累積１０％粒子径）は、本発明のアクリル系樹脂粒子を含む塗料組成物から形成された塗膜中において、極大径の粒子及び中程度の粒子径の粒子間の隙間を効果的に埋めてアクリル系樹脂粒子を略隙間なく且つ略均一に分散させて、塗膜の光拡散性を向上させることができることから、１．８〜３．２が好ましく、１．９〜３．２がより好ましい。
【００２７】
γ（体積基準の累積５０％粒子径／個数基準の累積５０％粒子径）は、本発明のアクリル系樹脂粒子を含む塗料組成物から形成された塗膜中において、極大径の粒子間の隙間を効果的に埋めてアクリル系樹脂粒子を略隙間なく且つ略均一に分散させて、塗膜の光拡散性を向上させることができることから、１．４〜２．８が好ましく、１．５〜２．７がより好ましい。
【００２８】
η（体積基準の累積９０％粒子径／個数基準の累積９０％粒子径）は、本発明のアクリル系樹脂粒子を含む塗料組成物から形成された塗膜中において、極大径の粒子が同程度の粒子径を有しており、極端に大きな粒子径を有するアクリル系樹脂粒子が部分的に突出することによって塗膜の表面平滑性が損なわれることがないので、１．４〜２．８が好ましく、１．４〜２．７がより好ましい。
【００２９】
アクリル系樹脂粒子における体積基準の粒子径のＣＶ値は、小さすぎると、アクリル系樹脂粒子の粒度分布の幅が狭くなり、本発明のアクリル系樹脂粒子を含む塗料組成物から形成された塗膜中において、アクリル系樹脂粒子間に形成された隙間を効果的に埋めることができなくなると共に、塗膜の表面平滑性が低下し、大きすぎると、極大径のアクリル系樹脂粒子の数が多くなりすぎて、塗膜の表面平滑性が低下するので、３０〜４０％に限定され、３２〜３８％が好ましい。
【００３０】
更に、アクリル系樹脂粒子において、α、γ及びηに加えて、体積基準の累積２５％粒子径を個数基準の累積２５％粒子径で除した値β及び体積基準の累積７５％粒子径を個数基準の累積７５％粒子径で除した値δが式５を満たしていることが好ましい。
α＞β＞γ＞δ＞η  ・・・式５
β＝体積基準の累積２５％粒子径／個数基準の累積２５％粒子径
δ＝体積基準の累積７５％粒子径／個数基準の累積７５％粒子径
【００３１】
加えて、体積基準の累積２５％粒子径を体積基準の累積５０％粒子径で除した値Ｃが式６を満たし且つ体積基準の累積７５％粒子径を体積基準の累積５０％粒子径で除した値Ｄが式７を満たしていることが好ましい。
Ｃ≦０．８５  ・・・式６
１．１≦Ｄ≦１．４  ・・・式７
Ｃ＝体積基準の累積２５％粒子径／体積基準の累積５０％粒子径
Ｄ＝体積基準の累積７５％粒子径／体積基準の累積５０％粒子径
【００３２】
上述のように、βは、体積基準の累積２５％粒子径と、個数基準の累積２５％粒子径で定義される。δは、体積基準の累積７５％粒子径と、個数基準の累積７５％粒子径で定義される。従って、βは、体積基準の累積２５％粒子径及びこの近傍の粒子径の領域（小径領域）における粒子径の分散度を意味している。δは、体積基準の累積７５％粒子径及びこの近傍の粒子径の領域（大径領域）における粒子径の分散度を意味している。以下、小径領域の粒子を「小径の粒子」といい、大径領域の粒子を「大径の粒子」という。
【００３３】
アクリル系樹脂粒子は、体積基準の累積２５％粒子径を体積基準の累積５０％粒子径で除した値Ｃが好ましくは０．８５以下とされ、より好ましくは、０．８以下とされており、、小径の粒子の数が多くなるように構成されている。
【００３４】
アクリル系樹脂粒子は、体積基準の累積２５％粒子径を体積基準の累積５０％粒子径で除した値Ｃが大きくなりすぎると、小径の粒子の数が少なくなり、極大径の粒子及び中程度の粒子径の粒子間に形成された隙間を効果的に埋めることが難しくなる虞れがある。
【００３５】
一方、アクリル系樹脂粒子は、体積基準の累積７５％粒子径を体積基準の累積５０％粒子径で除した値Ｄが好ましくは１．１〜１．４とされ、より好ましくは、１．１〜１．３とされており、大径の粒子の数が少なくなるように構成されている。
【００３６】
アクリル系樹脂粒子において、体積基準の累積７５％粒子径を体積基準の累積５０％粒子径で除した値Ｂが小さすぎると、極大径の粒子間に形成された隙間を効果的に埋めることができない虞れがある。
【００３７】
アクリル系樹脂粒子において、体積基準の累積７５％粒子径を体積基準の累積５０％粒子径で除した値Ｂが大きすぎると、大径の粒子が多くなりすぎて、大径の粒子の突出が目立つようになって、得られる塗膜の表面平滑性が低下する虞れがある。
【００３８】
このように、α、β、γ、δ及びηが式５の関係を満たすことによって、極大径の粒子間に形成された隙間を、大径の粒子、中程度の粒径を有する粒子、小径の粒子及び極小径の粒子がより効果的に略隙間なく埋めることができ、より均一な光拡散性を有する塗膜を形成することができる。
【００３９】
β（体積基準の累積２５％粒子径／個数基準の累積２５％粒子径）は、本発明のアクリル系樹脂粒子を含む塗料組成物から形成された塗膜中において、極大径の粒子、大径の粒子及び中程度の粒子径の粒子間の隙間を効果的に埋めてアクリル系樹脂粒子を略隙間なく且つ略均一に分散させて、塗膜の光拡散性を向上させることができることから、１．７〜３．１が好ましく、１．８〜３．１がより好ましい。
【００４０】
δ（体積基準の累積７５％粒子径／個数基準の累積７５％粒子径）は、本発明のアクリル系樹脂粒子を含む塗料組成物から形成された塗膜中において、アクリル系樹脂粒子が凝集するのを防止すると共に、極大径の粒子が塗膜から突出するのをできるだけ防止して塗膜の表面平滑性を向上させることができるので、１．２〜２．２が好ましく、１．３〜２．１がより好ましい。
【００４１】
本発明のアクリル系樹脂粒子について、体積基準の累積１０％、２５％、５０％、７５％及び９０％粒子径と、個数基準の累積１０％、２５％、５０％、７５％及び９０％粒子径と、体積基準の粒子径のＣＶ値は下記の要領で測定された値をいう。
【００４２】
アクリル系樹脂粒子の体積平均粒子径は、コールターマルチサイザーIII（ベックマン・コールター株式会社製測定装置）により測定する。測定は、ベックマン・コールター株式会社発行のＭｕｌｔｉｓｉｚｅｒTM ３ユーザーズマニュアルに従って校正されたアパチャーを用いて実施するものとする。
【００４３】
なお、測定に用いるアパチャーの選択は、測定する樹脂粒子の想定の体積平均粒子径が１μｍ以上１０μｍ以下の場合は５０μｍのサイズを有するアパチャーを選択し、測定する樹脂粒子の想定の体積平均粒子径が１０μｍより大きく３０μｍ以下の場合は１００μｍのサイズを有するアパチャーを選択し、樹脂粒子の想定の体積平均粒子径が３０μｍより大きく９０μｍ以下の場合は２８０μｍのサイズを有するアパチャーを選択し、アクリル系樹脂粒子の想定の体積平均粒子径が９０μｍより大きく１５０μｍ以下の場合は４００μｍのサイズを有するアパチャーを選択するなど、適宜行う。測定後の体積平均粒子径が想定の体積平均粒子径と異なった場合は、適正なサイズを有するアパチャーに変更して、再度測定を行う。
【００４４】
又、５０μｍのサイズを有するアパチャーを選択した場合、Ｃｕｒｒｅｎｔ（アパチャー電流）は−８００、Ｇａｉｎ（ゲイン）は４と設定し、１００μｍのサイズを有するアパチャーを選択した場合、Ｃｕｒｒｅｎｔ（アパチャー電流）は−１６００、Ｇａｉｎ（ゲイン）は２と設定し、２８０μｍおよび４００μｍのサイズを有するアパチャーを選択した場合、Ｃｕｒｒｅｎｔ（アパチャー電流）は−３２００、Ｇａｉｎ（ゲイン）は１と設定する。
【００４５】
測定用試料としては、樹脂粒子０．１ｇを０．１重量％ノニオン性界面活性剤水溶液１０ｍ１中にタッチミキサー（ヤマト科学株式会社製、「ＴＯＵＣＨＭＩＸＥＲ  ＭＴ−３１」）および超音波洗浄器（株式会社ヴェルヴォクリーア社製、「ＵＬＴＲＡＳＯＮＩＣ  ＣＬＥＡＮＥＲ  ＶＳ−１５０」）を用いて分散させ、分散液としたものを使用する。コールターマルチサイザーIIIの測定部に、ＩＳＯＴＯＮ（登録商標）II（ベックマン・コールター株式会社製：測定用電解液）を満たしたビーカーをセットし、ビーカー内を緩く攪拌しながら、前記分散液を滴下して、コールターマルチサイザーIII本体画面の濃度計の示度を５〜１０％に合わせた後に、測定を開始する。測定中はビーカー内を気泡が入らない程度に緩く攪拌しておき、粒子を１０万個測定した時点で測定を終了し、体積基準の累積１０％、２５％、５０％、７５％及び９０％粒子径と、個数基準の累積１０％、２５％、５０％、７５％及び９０％粒子径を算出する。
体積基準の平均粒子径は、１０万個のアクリル系樹脂粒子の体積基準の累積５０％粒子径である。
アクリル系樹脂粒子の粒子径のＣＶ値（変動係数）を、下記式に基づいて算出する。
アクリル系樹脂粒子の体積基準のＣＶ値（％）
＝１００×（アクリル系樹脂粒子の体積基準の粒度分布の標準偏差）
／アクリル系樹脂粒子の体積基準の平均粒子径）
【００４６】
本発明のアクリル系樹脂粒子は、汎用の重合方法を用いて製造することができる。アクリル系樹脂粒子の製造方法としては、特に限定されず、例えば、アクリル系モノマー及び重合開始剤を分散安定剤の存在下にて水性媒体中に分散させて攪拌しながら懸濁重合させてアクリル系樹脂粒子を製造する方法の他に、乳化重合、シード重合、塊重合、溶液重合などの汎用の重合方法を用いてアクリル系樹脂粒子を製造する方法が挙げられる。なお、水性媒体としては、例えば、水、メチルアルコール、エチルアルコールやそれらの混合物などが挙げられ、水が好ましい。
【００４７】
アクリル系モノマーとしては、特に限定されず、例えば、アクリル酸エステル、アクリル酸、メタクリル酸エステル、メタクリル酸などが挙げられる。アクリル系モノマーは、単独で用いられても二種以上が併用されてもよい。
【００４８】
アクリル酸エステルとしては、例えば、メチルアクリレート、エチルアクリレート、プロピルアクリレート、ｎ−ブチルアクリレート、イソブチルアクリレートなどが挙げられる。メタクリル酸エステルとしては、例えば、メチルメタクリレート、エチルメタクリレート、プロピルメタクリレート、ｎ−ブチルメタクリレート、イソブチルメタクリレートなどが挙げられ、メチルメタクリレート、エチルメタクリレート、ｎ−ブチルメタクリレート、イソブチルメタクリレートが好ましい。
【００４９】
又、アクリル系モノマーにアクリル系モノマーと共重合可能なモノマーを含有させてもよい。このようなモノマーとしては、例えば、スチレン、ｐ−メチルスチレン、αーメチルスチレン、酢酸ビニル、アクリルニトリルなどのビニル基を有するモノマーなどが挙げられる。
【００５０】
更に、アクリル系モノマーに、ビニル基を複数個有する多官能モノマーが含有されてもよい。このような多官能モノマーとしては、例えば、１，１０−デカンジオールジメタクリレート、ポリエチレングリコールジメタクリレート、トリメチロールプロパントリアクリレート、エチレングリコールジメタクリレート、ジエチレングリコールジメタクリレート、トリエチレングリコールジメタクリレート、デカエチレングリコールジメタクリレート、ペンタデカエチレングリコールジメタクリレート、ペンタコンタヘクタエチレングリコールジメタクリレート、１，３−ブチレンジメタクリレート、アリルメタクリレート、トリメチロールプロパントリメタクリレート、ペンタエリスリトールテトラメタクリレート、ジメタクリル酸フタル酸ジエチレングリコールなどが挙げられる。これらモノマーは、単独で用いられても二種以上が併用されてもよい。上記多官能モノマーのうち、エチレングリコールジメタクリレートが好ましい。
【００５１】
重合開始剤としては、例えば、過酸化ベンゾイル、過酸化ラウロイル、過酸化オクタノイル、オルソクロロ過酸化ベンゾイル、メチルエチルケトンパーオキサイド、ジイソプロピルパーオキシジカーボネート、クメンハイドロパーオキサイド、ｔ−ブチルハイドロパーオキサイドなどの過酸化物系重合開始剤、２，２’−アゾビスイソブチロニトリル、２，２’−アゾビス（２，４−ジメチルバレロニトリル）などのアゾ系重合開始剤が挙げられる。
【００５２】
又、分散安定剤としては、例えば、リン酸カルシウム、ピロリン酸マグネシウムなどの難水溶性無機塩、ポリビニルアルコール、メチルセルロース、ポリビニルピロリドンなどの水溶性高分子、オレイン酸ナトリウム、ラウリル硫酸ナトリウム、ドデシルベンゼンスルホン酸ナトリウム、アルキルナフタレンスルホン酸塩、アルキルリン酸エステル塩などのアニオン性界面活性剤、ラウリルアミンアセテート、ステアリルアミンアセテートなどのアルキルアミン塩、ラウリルトリメチルアンモニウムクロライドのような第四級アンモニウム塩などのカチオン界面活性剤、ポリオキシエチレンアルキルエーテル、ポリオキシエチレンアルキルフェニルエーテル、ポリオキシエチレン脂肪酸エステル、ソルビタン脂肪酸エステル、ポリオキシソルビタン脂肪酸エステル、ポリオキシエチレンアルキルアミン、グリセリン脂肪酸エステルなどのノニオン界面活性剤、ラウリルジメチルアミンオキサイドなどの両性界面活性剤などが挙げられる。なお、分散安定剤は単独で用いられても二種以上が併用されもよい。
【００５３】
本発明のアクリル系樹脂粒子は、粒度分布が式１〜４を満たすように調整されるが、この調整方法としては、上述の要領で製造されたアクリル系樹脂粒子を汎用の要領で分級すればよい。分級する際の目安としては、分級前のアクリル系樹脂粒子における体積基準の累積２５％粒子径以下の粒子径を有する粒子、又は、分級前のアクリル系樹脂粒子における体積基準の累積７５％粒子径以上の粒子径を有する粒子の一部を、分級後のアクリル系樹脂粒子の粒度分布を確認しながら、各種分級機を用いて分級条件を適宜調整しながら除去すればよい。
【００５４】
本発明のアクリル系樹脂粒子はバインダー樹脂と混合することによって、本発明のアクリル系樹脂粒子とバインダー樹脂とを含む塗料組成物を構成する。この塗料組成物は、光学材料、家電などの電気製品の表面の艶消し塗料、建築物の外装塗料を形成するために好適に用いられる。光学材料としては、例えば、防眩フィルム、光拡散シート及び導光板などが挙げられ、光拡散シートを形成するために特に好適である。
【００５５】
塗料組成物を製造する方法としては、汎用の混合機を用いて、本発明のアクリル系樹脂粒子とバインダー樹脂とを混合すればよい。混合機としては、例えば、押出機などの混練機、ビーズミル、高圧ホモジナイザーなどが挙げられる。
【００５６】
バインダー樹脂としては、公知の熱可塑性樹脂を用いることができる。熱可塑性樹脂としては、例えば、上述したアクリル系樹脂、ポリカーボネート、ポリエステル系樹脂、ポリエチレン系樹脂、ポリプロピレン系樹脂などのポリオレフィン系樹脂、ポリスチレン系樹脂などが挙げられ、透明性に優れていることから、アクリル系樹脂、ポリカーボネート、ポリエステル系樹脂、ポリスチレン系樹脂が好ましい。なお、熱可塑性樹脂は、単独で用いられても二種以上が併用されてもよい。
【００５７】
塗料組成物中におけるバインダー樹脂の含有量は、光拡散性及び光透過性の双方が優れた光学材料を製造することができることから、アクリル系樹脂粒子１００重量部に対して２５〜４００重量部が好ましく、５０〜２００重量部がより好ましい。
【００５８】
塗料組成物には、塗料組成物の粘度を調整するために溶媒が含有されていてもよい。溶媒としては、特に限定されず、例えば、トルエン、メチルエチルケトン、酢酸エチル、アルコールなどが挙げられる。なお、溶媒は、単独で用いられても二種以上が併用されてもよい。
【００５９】
次に、本発明のアクリル系樹脂粒子を用いて光学材料を製造する要領について説明する。光学材料は、基材上に光拡散層を積層一体化することによって製造される。光学材料の製造方法としては、特に限定されず、例えば、基材上に上記塗料組成物を塗工し乾燥させて、バインダー樹脂中にアクリル系樹脂粒子が分散してなる光拡散層を基材上に積層一体化させて光学材料を製造することができる。なお、塗料組成物中に溶媒が含まれている場合には、塗料組成物の乾燥時に溶媒を除去する。
【００６０】
基材としては、特に限定されず、例えば、ポリエチレンテレフタレートなどのポリエステル系樹脂、アクリル系樹脂、ポリカーボネート、ポリアミドなどの合成樹脂基材、ガラスシートなどの無機基材などが挙げられる。光学材料が光拡散シートである場合には、基材は透明基材であることが好ましい。なお、「透明」には半透明も含まれる。
【００６１】
基材上に塗料組成物を塗工する方法としては、リバースロールコート法、グラビアコート法、ダイコート法、コンマコート法、スプレーコート法などの公知の方法を用いることができる。光拡散層の厚みは、特に限定されるものではないが、光拡散性、膜強度などを考慮して１〜１００μｍが好ましく、３〜３０μｍがより好ましい。
【００６２】
上述のようにして形成された光拡散層は、本発明のアクリル系樹脂粒子を含んでいることから、光拡散層中にアクリル系樹脂粒子が均一に分散した状態に且つアクリル系樹脂粒子間に殆ど隙間がない状態で分散している。従って、光拡散層は、全面的に略均一な光拡散性を有している。
【００６３】
更に、光拡散層は、その表面にアクリル系樹脂粒子が過度に突出しておらず、表面平滑性に優れているので、光学材料を他の材料と重ね合わせて使用した場合にあっても、他の材料を傷つけるようなことはない。
【発明の効果】
【００６４】
本発明のアクリル系樹脂粒子は、上述の如き構成を有していることから、凝集することなく且つアクリル系樹脂粒子間に略隙間のない状態で分散させることができる。
【００６５】
従って、本発明のアクリル系樹脂粒子及びバインダー樹脂を含む塗料組成物を用いて形成された光拡散層は、バインダー樹脂中に、アクリル系樹脂粒子が隙間なく且つ凝集することなく略均一に分散されている。従って、光拡散層は、全体的に略均一で且つ優れた光拡散性を有しており、この光拡散層を有する光学材料は優れた光拡散性を有する。
【００６６】
又、上記光拡散層は、その表面平滑性に優れていることから、上記光拡散層を有する光学材料は、他の光学材料と重ねて使用した時においても、他の光学材料を傷つけることがない。従って、本発明のアクリル系樹脂粒子を用いて形成された光拡散層を有する光学材料は、他の光学材料との重ね合わせての使用を可能とし、光学材料全体の小型化を図ることができる。
【発明を実施するための形態】
【００６７】
以下に実施例を挙げて本発明を更に詳細に説明するが、本実施例に何ら限定されるものでない。
【００６８】
（実施例１）
メチルメタクリレート９５重量部、エチレングリコールジメタクリレート５重量部及び過酸化ベンゾイル０．４重量部を含む単量体組成物、脱イオン水２００重量部、酸可溶性の難水溶性無機化合物からなる分散安定剤としてのトリリン酸カルシウム６重量部、並びに、ラウリル硫酸ナトリウム０．１重量部を混合機（特殊機化工業株式会社製  商品名「ＴＫホモミキサー」）に供給して４５００ｒｐｍで１０分間に亘って混合して、単量体組成物が脱イオン水中に均一に分散した分散液を得た。
【００６９】
上記分散液を重合反応器内に供給して攪拌しながら、単量体組成物を７０℃にて３時間に亘って懸濁重合し、架橋ポリメチルメタクリレート粒子が水中に分散した懸濁液を得た。
【００７０】
得られた懸濁液に塩酸を添加して分散安定剤を溶解させた後に、架橋ポリメチルメタクリレート粒子を水から分離し、洗浄した上で乾燥させて架橋ポリメチルメタクリレート粒子を得た。
【００７１】
次に、得られた架橋ポリメチルメタクリレート粒子を、ターボクラシファイヤー（日清エンジニアリング社製  商品名「型式ＴＣ−１５」）に投入して分級し、粒子径が２０μｍ以上の架橋ポリメチルメタクリレート粒子及び粒子径が１〜５μｍの架橋ポリメチルメタクリレート粒子を除去して、分級後の架橋ポリメチルメタクリレート粒子を得た。
【００７２】
（実施例２）
混合機の回転数を７０００ｒｐｍとしたこと以外は実施例１と同様の要領で分級前の架橋ポリメチルメタクリレート粒子を得た。
【００７３】
次に、得られた架橋ポリメチルメタクリレート粒子を、ターボクラシファイヤー（日清エンジニアリング社製  商品名「型式ＴＣ−１５」）に投入して分級し、粒子径が１５μｍ以上の架橋ポリメチルメタクリレート粒子及び粒子径が１〜４μｍの架橋ポリメチルメタクリレート粒子を除去して、分級後の架橋ポリメチルメタクリレート粒子を得た。
【００７４】
（実施例３）
メチルメタクリレート及びエチレングリコールジメタクリレートの代わりに、ブチルメタクリレート３５重量部、ブチルアクリレート３５重量部及びエチレングリコールジメタクリレート３０重量部を用いたこと、混合機の回転数を６５００ｒｐｍとしたこと以外は実施例１と同様の要領で分級前の架橋アクリル系樹脂粒子を得た。
【００７５】
次に、得られた架橋アクリル系樹脂粒子を、ターボクラシファイヤー（日清エンジニアリング社製  商品名「型式ＴＣ−１５」）に投入して分級し、粒子径が１５μｍ以上の架橋ポリメチルメタクリレート粒子及び粒子径が１〜４μｍの架橋アクリル系樹脂粒子を除去して、分級後の架橋アクリル系樹脂粒子を得た。
【００７６】
（比較例１）
実施例１で製造された分級前の架橋ポリメチルメタクリレート粒子を用いた。
【００７７】
（比較例２）
実施例２で製造された分級前の架橋ポリメチルメタクリレート粒子を用いた。
【００７８】
（比較例３）
実施例３で製造された分級前の架橋アクリル系樹脂粒子を用いた。
【００７９】
（比較例４）
実施例１で得られた分級後の架橋ポリメチルメタクリレート粒子をターボクラシファイヤー（日清エンジニアリング社製  商品名「型式ＴＣ−１５」）に投入して、粒子径が１２μｍを超える架橋ポリメチルメタクリレート粒子を除去した。
【００８０】
更に、得られた架橋ポリメチルメタクリレート粒子をエアロクラシファイヤー（日清エンジニアリング社製  商品名「型式ＡＣ−２０」）に投入して、粒子径が９μｍ未満の架橋ポリメチルメタクリレート粒子を除去した。
【００８１】
実施例１〜３及び比較例４で得られた分級後のアクリル系樹脂粒子、並びに、比較例１〜３で得られた分級前のアクリル系樹脂粒子について、α、β、γ、δ、η、Ａ、Ｂ、Ｃ及びＤ、並びに、体積基準の累積１０％、２５％、５０％、７５％及び９０％粒子径と、個数基準の累積１０％、２５％、５０％、７５％及び９０％粒子径と、体積基準の粒子径のＣＶ値を表１及２に示した。
【００８２】
実施例及び比較例で得られたアクリル系樹脂粒子２５０重量部、ポリエステル系樹脂１８０重量部、ポリイソシアネート５０重量部、トルエン３００質量部及びメチルエチルケトン３３０質量部を均一に混合して塗料組成物を製造した。この塗料組成物を透明なポリエステル系樹脂フィルム上にダイコート法により塗工した後、塗料組成物を乾燥させてトルエン及びメチルエチルケトンを除去して、ポリエステル系樹脂フィルム上に、塗料組成物を乾燥させてなる光拡散層が積層一体化されてなる光拡散シートを作製した。
【００８３】
得られた光拡散シートの塗工ムラ及び傷つき性を下記の要領で評価し、その結果を表１に示した。
【００８４】
（塗工ムラ）
光拡散シートを目視観察し、樹脂粒子が集中している部分と樹脂粒子の少ない部分の存在、所謂、塗工ムラの存在を確認した。塗工ムラの観察できなかった場合を「良」、塗工ムラが観察された場合を「不良」とした。
【００８５】
（傷つき性）
染色物摩擦堅牢度試験機（大栄科学精器製作所社製）を用いた。光拡散シートから縦１２ｃｍ×横５ｃｍの平面長方形状の試験片を２枚切り出した。染色物摩擦堅牢度試験機の試料台上に、試験片をその光拡散層が上となるように載置、固定した。染色物摩擦堅牢度試験機の摩擦子に光拡散層を上向きにして別の試験片を固定し、更に、その上に５００ｇの分銅（試験片への接触面積は４ｃｍ2）を乗せて３０往復／分の速さで試験片の長辺方向と平行に１０ｃｍの距離を２０回往復させて擦過し、光拡散層の傷つき性を評価した。光拡散層の傷が肉眼で確認できなかった場合を「良」、傷が確認できた場合を「不良」とした。
【００８６】
【表１】
2014198797.tif 000002
【００８７】
【表２】
2014198797.tif 000003